(57)【要約】【課題】流通性を容易にして医療施設での保管量を少なくするとともに、廃棄時の情報を製造者が把握できて使用後の医療廃棄物として環境への負荷を少なくすることが可能な使い捨て医療器具及びこの使い捨て医療器具の流通システムを実現する。【解決手段】使い捨て医療器具としての内視鏡カバー３は、構成部品の少なくとも一部を生分解性材質により構成されている。内視鏡カバー３は、構成部品の全てである挿入部カバー部３１、この挿入部カバー部３１の先端部に設けた先端カバー部材３１Ａと、操作部カバー３２と、口体部３３とを生分解性材質である生分解性プラスティックにより構成されている。【選択図】図１
2006296675.tif 000002
【特許請求の範囲】
【請求項１】
医療行為に用いられる使い捨て医療器具であって、
前記使い捨て医療器具を構成している構成部品の少なくとも一部を生分解性材質により構成したことを特徴とする使い捨て医療器具。
【請求項２】
請求項１に記載の使い捨て医療器具であって、
前記使い捨て医療器具を構成している前記構成部品の全てを前記生分解性材質により構成したことを特徴とする使い捨て医療器具。
【請求項３】
請求項１に記載の使い捨て医療器具であって、
前記使い捨て医療器具を構成している前記構成部品を前記生分解性材質により構成した生分解性部と、非生分解性材質により構成した非生分解性部とに分解可能に構成したことを特徴とする使い捨て医療器具。
【請求項４】
請求項１ないし３のいずれか１つに記載の使い捨て医療器具の流通システムであって、
前記使い捨て医療器具は同定標識情報を有し、
通信回線を介して使用済みの前記使い捨て医療器具の同定標識情報を取得する使用済み同定標識情報取得部と、
前記使用済み同定標識情報取得部により取得した前記使用済み同定標識情報に基づき、前記使用済み医療器具の数を算出する算出部と、
前記算出部の算出結果に基づき、新たな使い捨て医療器具の納入指示情報を前記通信回線を介して送信する納入指示部と、
前記納入指示部からの納入指示情報に基づいて納入される全ての前記使い捨て医療器具の同定標識情報を前記通信回線を介して取得する納入済み同定標識情報取得部と、
前記算出部の算出結果に基づき、前記使用済み医療器具の回収指示情報を前記通信回線を介して送信する回収指示部と、
前記回収指示部からの回収指示情報に基づいて回収済みの前記使い捨て医療器具の同定標識情報を前記通信回線を介して取得する回収済み同定標識情報取得部と、
を具備することを特徴とする使い捨て医療器具の流通システム。
【請求項５】
請求項４に記載の使い捨て医療器具の流通システムであって、
前記算出部は、前記使用済み同定標識情報取得部により取得した前記同定標識情報と、予めデータベースに記録されている同定標識情報とを照合して前記使用済み医療器具の数を算出することを特徴とする使い捨て医療器具の流通システム。
【請求項６】
請求項４に記載の使い捨て医療器具の流通システムであって、
前記回収済み同定標識情報取得部は、破砕済みの前記使い捨て医療器具の同定標識情報を前記通信回線を介して取得することを特徴とする使い捨て医療器具の流通システム。
【請求項７】
請求項４に記載の使い捨て医療器具の流通システムであって、
前記使い捨て医療器具の非生分解性部は各々同定標識情報を有し、
前記回収済み同定標識情報取得部は、前記非生分解性部の同定標識情報を前記通信回線を介して取得することを特徴とする使い捨て医療器具の流通システム。
【発明の詳細な説明】
【技術分野】
【０００１】
本発明は、使い捨て医療器具及びこの使い捨て医療器具の流通システムに関する。
【背景技術】
【０００２】
近年、医療技術の進歩に伴い種々の医療器具が開発されて使用されている。これらの医療器具の中には、一度使用した後に廃棄される使い捨て医療器具がある。このような使い捨て医療器具としては、例えば特開平８−３０８７８６号公報に記載されているように、内視鏡を被覆する内視鏡カバーが提案されている。
【０００３】
従来の内視鏡カバーは、内視鏡を被覆した状態で使用することにより、使用後に使用済みの内視鏡カバーを廃棄し、新たな内視鏡カバーに交換できるので、内視鏡を洗滌消毒、滅菌処理する必要がなく、時間を削減できて作業性が向上する。
【特許文献１】特開平８−３０８７８６号公報
【発明の開示】
【発明が解決しようとする課題】
【０００４】
従来の使い捨て医療器具は、使用後、各医療施設かまたは医療廃棄物回収業者（以下、単に回収業者）により医療廃棄物として廃棄処分されている。この医療廃棄物の処分は各医療施設に任されており、各医療施設、回収業者がどのように医療廃棄物を処分しているか製造者側が把握することは困難であった。
【０００５】
上記従来の使い捨て医療器具は、例えば各種金属、プラスティック素材等により構成されている。このため、上記従来の使い捨て医療器具は、不燃性の医療廃棄物とし処理される。したがって、上記使い捨て医療器具は、使用後の医療廃棄物として環境への負荷を少なくすることが要望されている。
【０００６】
また、従来の使い捨て医療器具は、各医療施設にて必要な数を在庫として常に保管しておく必要があった。さらに、使用後の使い捨て医療器具は医療廃棄物として上記廃棄処分されるまで、各医療施設内に所定数保管する必要があり、保管場所が必要になっていた。
【０００７】
本発明は、上述した点に鑑みてなされたもので、流通性を容易にして医療施設での保管量を少なくするとともに、廃棄時の情報を製造者が把握できて使用後の医療廃棄物として環境への負荷を少なくすることが可能な使い捨て医療器具及びこの使い捨て医療器具の流通システムを提供することを目的とする。
【課題を解決するための手段】
【０００８】
本発明は、医療行為に用いられる使い捨て医療器具であって、前記使い捨て医療器具を構成している構成部品の少なくとも一部を生分解性材質により構成したことを特徴としている。  
また、本発明は、請求項１に記載の使い捨て医療器具であって、前記使い捨て医療器具を構成している前記構成部品の全てを前記生分解性材質により構成したことを特徴としている。  
また、本発明は、請求項１に記載の使い捨て医療器具であって、前記使い捨て医療器具を構成している前記構成部品を前記生分解性材質により構成した生分解性部と、非生分解性材質により構成した非生分解性部とに分解可能に構成したことを特徴としている。  
また、本発明は、請求項１ないし３のいずれか１つに記載の使い捨て医療器具の流通システムであって、前記使い捨て医療器具は同定標識情報を有し、通信回線を介して使用済みの前記使い捨て医療器具の同定標識情報を取得する使用済み同定標識情報取得部と、前記使用済み同定標識情報取得部により取得した前記使用済み同定標識情報に基づき、前記使用済み医療器具の数を算出する算出部と、前記算出部の算出結果に基づき、新たな使い捨て医療器具の納入指示情報を前記通信回線を介して送信する納入指示部と、前記納入指示部からの納入指示情報に基づいて納入される全ての前記使い捨て医療器具の同定標識情報を前記通信回線を介して取得する納入済み同定標識情報取得部と、前記算出部の算出結果に基づき、前記使用済み医療器具の回収指示情報を前記通信回線を介して送信する回収指示部と、前記回収指示部からの回収指示情報に基づいて回収済みの前記使い捨て医療器具の同定標識情報を前記通信回線を介して取得する回収済み同定標識情報取得部と、を具備することを特徴としている。
【発明の効果】
【０００９】
本発明の使い捨て医療器具及びこの使い捨て医療器具の流通システムは、流通性を容易にして医療施設での保管量を少なくするとともに、廃棄時の情報を製造者が把握できて使用後の医療廃棄物として環境への負荷を少なくすることができるという効果を有する。
【発明を実施するための最良の形態】
【００１０】
以下、図面を参照して本発明の実施例を説明する。
【実施例１】
【００１１】
図１ないし図１８は本発明の実施例１に係り、図１は実施例１の使い捨て医療器具として内視鏡カバーを備えた内視鏡装置の全体構成図、図２は図１の内視鏡カバーの要部を示す説明図、図３は内視鏡カバーの流通システムを示す全体構成図、図４は図３のメーカのサーバのデータべース構造例を示す説明図、図５は図３の病院の検査室に配置されるモニタに表示されるＩＤ情報読込画面の表示例を示す説明図、図６は図３のメーカのサーバが使用済み内視鏡カバーの数を算出するまでの動作を示すフローチャート、図７は図３のメーカのサーバが納入／回収フラッグを立てるまでの動作を示すフローチャート、図８は図３の代理店の端末の動作を示すフローチャート、図９は図３の代理店の端末に表示される納入依頼指示画面の表示例を示す説明図、図１０は図８の代理店の端末の動作に対するメーカのサーバの動作を示すフローチャート、図１１はＡ病院の内視鏡カバーデータベースの一例を示す説明図、図１２は図３の回収業者の端末の動作を示すフローチャート、図１３は図３の回収業者の端末に表示される回収依頼指示画面の表示例を示す説明図、図１４は図３の回収業者の端末に表示される回収済みＩＤ情報取得画面の表示例を示す説明図、図１５は図１２の回収業者の端末の動作に対するメーカのサーバの動作を示すフローチャート、図１６は回収業者の端末から内視鏡カバーの滅菌粉砕処理時のＩＤ情報を取得する際のメーカのサーバが行う動作を示すフローチャート、図１７は図３の回収業者の端末に表示される滅菌処理ＩＤ情報取得画面の表示例を示す説明図、図１８は図３の回収業者の端末に表示される粉砕処理ＩＤ情報取得画面の表示例を示す説明図である。
【００１２】
図１及び図２に示すように実施例１の内視鏡装置１は、後述の撮像部を内蔵した電子内視鏡（以下、単に内視鏡）２と、使い捨て医療器具として内視鏡２を覆う内視鏡カバー３とを備えて構成されている。また、内視鏡装置１は、光源装置５、ビデオプロセッサ６、流体制御装置７、モニタ９等が配置されている。なお、内視鏡装置１は医療施設である病院５１の検査室５１ａ（図３参照）に配置されている。
【００１３】
前記光源装置５は、前記内視鏡２に着脱自在に接続され、この内視鏡２に照明光を供給するようになっている。前記ビデオプロセッサ６は、前記内視鏡２に着脱自在に接続され、この内視鏡２の後述する撮像部２４を制御すると共に、この撮像部から得られた信号を処理して標準的な映像信号を出力するようになっている。前記流体制御装置７は、前記内視鏡カバー３に着脱自在に接続され、この内視鏡カバー３の送気送水チャンネルに空気や水等の流体を供給するようになっている。
【００１４】
前記内視鏡２は細長の挿入部２ａを有し、この挿入部２ａの手元側の基端部に把持部を兼ねた操作部２ｂが連設されて構成されている。前記内視鏡２は、前記操作部２ｂよりライトガイド等を内蔵するユニバーサルコード２ｃが延出している。前記挿入部２ａは基端側より軟性の可撓管１０ａと、湾曲自在な湾曲部１０ｂと、観察光学系等を備えた先端構成部１０ｃとが連設されて構成されている。
【００１５】
前記操作部２ｂには、前記湾曲部１０ｂを湾曲操作する湾曲操作ノブ１１（図２参照）が設けられている。また、前記操作部２ｂには、送気送水スイッチ１２、吸引スイッチ１３が設けられており、ユニバーサルコード２ｃ内に配設された信号線を介して前記流体制御装置７と電気的に接続されている。さらに、前記操作部２ｂには、前記ビデオプロセッサ６を遠隔操作するためのリモートスイッチ１４が設けられている。
【００１６】
前記ユニバーサルコード２ｃの端部には、前記光源装置５に接続するコネクタ部１５が設けられている。前記コネクタ部１５の側部には、電気ケーブル１６が延出しておりこの端部に設けた電気コネクタ１７が前記ビデオプロセッサ６に接続されている。
【００１７】
前記内視鏡２は、ユニバーサルコード２ｃ、挿入部２ａ、操作部２ｂにライトガイド２１が挿通配設されている。このライトガイド２１の出力端である先端構成部１０ｃには、前記内視鏡カバー３の後述するレンズカバー３０ａを介して患部などの被写体を照明する照明光学系２２が設けられている。なお、照明光学系２２及びライトガイド２１の代わりに図示しないＬＥＤ（ Light Emitting Diode ）を設けてもよい。この場合、内視鏡２は、ライトガイド２１の代わりにＬＥＤから延出される電線が挿通配設される。
【００１８】
一方、先端構成部１０ｃには、照明された被写体の反射光を被写体像として取り込む対物光学系２３及び取り込まれた被写体像を撮像するＣＣＤ（ Charge Coupled Device ）やＣＭＯＳ（ Complementary Metal Oxide Semiconductor ）等の撮像部２４が設けられている。前記ビデオプロセッサ６は、前記内視鏡２の撮像部２４からの撮像信号を信号処理して、標準的な映像信号を生成し、前記モニタ９に内視鏡画像を表示させるようになっている。
【００１９】
一方、前記内視鏡２を被覆する内視鏡カバー３は、内視鏡２の挿入部２ａを覆う挿入部カバー部３１と、内視鏡２の操作部２ｂ及びユニバーサルコード２ｃを覆う操作部カバー３２と、内視鏡２の操作部２ｂの一部に固定する口体部（支持部）３３と、前記挿入部カバー部３１の先端部に設けた先端カバー部材３１Ａとを有して構成されている。これら内視鏡カバー３の各部は予め内視鏡検査に使用される前に滅菌されているものが使用され、内視鏡検査に使用した後は廃棄されるようになっている。
【００２０】
前記先端カバー部材３１Ａには、レンズカバー３０ａ、送気送水ノズル３０ｂ、吸引口３０ｃが設けられている。前記内視鏡カバー３（挿入部カバー部３１、口体部３３）内には、内視鏡挿入チャンネル３４、送気送水チャンネル３５、処置具挿通用チャンネル３６等の管路を備えている。
【００２１】
前記内視鏡挿入チャンネル３４は先端が前記レンズカバー３０ａに至り、後端から前記内視鏡２の挿入部２ａを挿入配設するようになっている。前記送気送水チャンネル３５は先端が前記送気送水ノズル３０ｂに連通し、後端は前記口体部３３より外部へ延出して送気チューブ３５ａ及び送水チューブ３５ｂに接続されている。これら送気チューブ３５ａ及び送水チューブ３５ｂの他端は、前記流体制御装置７に接続されている。
【００２２】
前記処置具挿通用チャンネル３６は先端が前記吸引口３０ｃに連通し、後端は前記口体部３３で分岐し、この分岐した一方は口体部３３に設けられた処置具挿入口３７に連通し、他方は前記口体部３３より外部へ延出して吸引チューブ３６ａに接続されている。この吸引チューブ３６ａは、前記流体制御装置７に接続されている。
【００２３】
また、この挿入部カバー部３１と前記口体部３３とは気密的に結合され、前記内視鏡２の挿入部２ａの先端部まで前記内視鏡挿入チャンネル３４を気密的に覆っている。前記口体部３３は、前記内視鏡２の操作部２ｂの前端付近の外周面には気密が保てるように密着すると共に、密着した場合の摩擦力により口体部３３を操作部２ｂに固定するＯリング等によるシール部３９が設けられている（図２参照）。尚、前記口体部３３は、前記内視鏡挿入チャンネル３４が前記内視鏡２の操作部２ｂの前端付近と殆ど嵌合する大きさ（内径）となっている。
【００２４】
これにより、前記内視鏡カバー３は、前記内視鏡挿入チャンネル３４に前記内視鏡２の挿入部２ａを挿入すると、前記シール部３９と操作部２ｂとの摩擦力により口体部３３が操作部２ｂに固定されるようになっている。
【００２５】
本実施例では、前記内視鏡カバー３の構成全体を生分解性材質として生分解性プラスティックにより構成している。さらに具体的に説明すると前記内視鏡カバー３は、挿入部カバー部３１、操作部カバー３２、口体部３３、先端カバー部材３１Ａの全ての構成部品を生分解性プラスティックにより構成している。
【００２６】
前記生分解性プラスティックは例えば、ポリ乳酸、ポリカプロラクトン、ポリグルコール酸、ポリビニールアルコール、ポリエチレンサクシネート等であり、使用中は通常のプラスティックと同様に使え、使用後は自然界の微生物によって水と二酸化炭素に分解される特性がある。このため、前記内視鏡カバー３は、生分解性プラスティックにより構成されることにより環境への負荷を少なくすることができる。
【００２７】
なお、前記挿入部カバー部３１、操作部カバー３２は軟性の生分解性プラスティックにより構成され、前記先端カバー部材３１Ａ、口体部３３は硬質の生分解性プラスティックにより構成されている。なお、前記先端カバー部材３１Ａ及び口体部３３は、図示しないＶ字やＵ字断面形状のスリットを形成して後述する内視鏡カバー３の破砕を容易にしている。なお、本実施例では、後述するように生分解性プラスティックが土中の微生物により分解され易くするために粉砕するようにしている。
【００２８】
また、本実施例では、前記内視鏡カバー３に識別可能な同定標識情報としてのＩＤ情報を持たせるようにしている。さらに具体的に説明すると、図２に示すように前記内視鏡カバー３は、前記口体部３３に例えば、製造番号等の内視鏡カバー個別のＩＤ情報を読み込み可能な識別タグ４１が取り付けられている。この識別タグ４１は、ＲＦＩＤ（ Radio Frequency IDentification ：電波方式認識）タグにより構成されている。
【００２９】
一方、検査室５１ａには、前記識別タグ４１に記録されているＩＤ情報を読み込むためのＩＤ読込装置４２が配置されている。このＩＤ読込装置４２は、前記識別タグ４１に記録されているＩＤ情報を無線通信により読み込むように構成されている。
【００３０】
すなわち、前記ＩＤ読込装置４２は、無線通信範囲内に前記識別タグ４１が位置したとき、この識別タグ４１と無線通信して記録されているＩＤ情報を自動的に読み込むようになっている。これにより、看護師等のオペレータは、前記内視鏡カバー３の識別タグ４１を前記ＩＤ読込装置４２の無線通信範囲内に位置させることにより、前記識別タグ４１に記録されているＩＤ情報を前記ＩＤ読込装置４２に読み込ませることが可能である。
【００３１】
なお、図示しないが後述する代理店５４、回収業者５５にも前記検査室５１ａと同様なＩＤ読込装置４２が配置されており、各々担当者がそれぞれの処理に応じて前記識別タグ４１のＩＤ情報を読み込ませるようになっている。
【００３２】
前記ＩＤ読込装置４２は、図３に示すように院内ネットワーク４４を介して院内サーバ４５に接続されている。図３は、内視鏡カバー３の流通システム５０を示す全体構成図である。この内視鏡カバー３の流通システム５０は、広域ネットワーク５２（例えば、インターネット等であるが、通信回線であればどのようなものでも良い）を介して前記病院５１、メーカ５３、代理店５４、回収業者５５に接続され、それぞれ通信可能に構成されている。
【００３３】
前記病院５１には検査室５１ａ、購買部５１ｂがあり、前記院内サーバ４５により接続されている。前記院内サーバ４５は、電子カルテを作成するための内視鏡画像データ、医療機器データ、患者情報等、種々の情報が記録されるようになっている。この院内サーバ４５には、前記ＩＤ読込装置４２から読み込まれた前記識別タグ４１のＩＤ情報が送信されることで、使用済みの内視鏡カバー３のＩＤ情報が記録されるようになっている。また、前記院内サーバ４５は、前記院内ネットワーク４４を介して購買部５１ｂに接続されており、購入した医療器具や医療用具、薬品等の購買情報や在庫情報が蓄積されるようになっている。
【００３４】
前記メーカ５３のサーバ５３ａは前記広域ネットワーク５２を介して前記病院５１の前記院内サーバ４５、代理店５４の端末５４ａ、回収業者５５の端末５５ａに接続され、後述するように取得した内視鏡カバー３のＩＤ情報に基づき、内視鏡カバー３のデータベース５３ｂを構築するようになっている。
【００３５】
本実施例では、前記広域ネットワーク５２を介して前記内視鏡カバー３のＩＤ情報を通信することにより、メーカ５３から代理店５４への内視鏡カバー３の搬入、代理店５４から病院５１への内視鏡カバー３の納入、病院５１から回収業者５５への内視鏡カバー３の回収が前記メーカ５３のサーバ５３ａにより一元管理されるようになっている。すなわち、前記メーカ５３のサーバ５３ａは、使用済み同定標識情報取得部と、算出部と、納入指示部と、納入済み同定標識情報取得部と、回収指示部と、回収済み同定標識情報取得部とを兼ねている。
【００３６】
このように構成されている内視鏡カバー３の流通システム５０の作用を説明する。なお、前記メーカ５３のサーバ５３ａ、前記病院５１の院内サーバ４５は、常時オンしているものとする。また、前記代理店５４の端末５４ａ、前記回収業者５５の端末５５ａは、それぞれの担当者が起動した際オンし、メーカ５３のサーバ５３ａにアクセスして情報の送受信を行うようになっている。
【００３７】
先ず、最初に代理店５４の担当者は、病院５１の購入担当者から電話あるいは広域ネットワーク５２にて内視鏡カバー３の発注依頼（契約）を受ける。このとき、契約時には、内視鏡カバー３を例えば２０本契約するものとする。本実施例では、病院５１において使用済み内視鏡カバー３が所定数、例えば１０本になると、後述するようにメーカ５３のサーバ５３ａが回収／納入フラッグを立てることにより、代理店５４の端末５４ａ，回収業者５５の端末５５ａと通信して補充分の納入依頼または回収依頼を行うようになっている。
【００３８】
代理店５４の担当者は、病院５１へ納入する内視鏡カバー３のＩＤ情報をＩＤ読込装置４２を用いて読み込ませ、端末５４ａから広域ネットワーク５２を介してメーカ５３のサーバ５３ａに送信する。メーカ５３のサーバ５３ａは、取得した内視鏡カバー３のＩＤ情報に基づき、図４に示すように各病院Ａ，Ｂ，…Ｎ毎にデータベース５３ｂを作成するようになっている。
【００３９】
このようにメーカ５３のサーバ５３ａは、予め病院毎に納入した内視鏡カバー３のＩＤ情報をデータベース５３ｂに記録している。病院５１では、納入された内視鏡カバー３を用いて検査室５１ａにおいて、内視鏡検査が行われる。
【００４０】
術者は、光源装置５、ビデオプロセッサ６、流体制御装置７、モニタ９の電源をオンする。術者は、前記内視鏡２を前記内視鏡挿入チャンネル３４に挿入して前記内視鏡カバー３を前記内視鏡２に装着して内視鏡検査を行う。内視鏡検査が終了したら、術者は、内視鏡２を内視鏡カバー３から取り外し、この内視鏡カバー３を使用済みとして図示しない密封用包装袋に収納する。この密封用包装袋は、回収業者５５により回収されるまで保管庫に保管される。
【００４１】
前記内視鏡検査前に前記モニタ９の表示画面には、図５に示すように使用する内視鏡カバー３のＩＤ情報読込画面６０が表示される。看護師等のオペレータは、使用する内視鏡カバー３のＩＤ情報を前記ＩＤ読込装置４２により読み込ませる。このとき、オペレータは、前記内視鏡カバー３の識別タグ４１を前記ＩＤ読込装置４２の無線通信範囲内に位置させ、前記識別タグ４１に記録されているＩＤ情報を前記ＩＤ読込装置４２に読み込ませると、自動的に読み込まれたＩＤ情報は、前記院内ネットワーク４４を介して前記院内サーバ４５に伝達される。前記院内サーバ４５は、前記広域ネットワーク５２を介して前記メーカ５３のサーバ５３ａに使用済み内視鏡カバー３のＩＤ情報を送信する。
【００４２】
メーカ５３のサーバ５３ａは、図６に示すフローチャートにしたがって使用済み内視鏡カバーの数を算出するまでの処理を実行する。図６に示すようにメーカ５３のサーバ５３ａは、病院５１の院内サーバ４５から使用済み内視鏡カバー３のＩＤ情報を取得する（ステップＳ１）。
【００４３】
前記メーカ５３のサーバ５３ａは、取得した使用済み内視鏡カバー３のＩＤ情報と、予めデータベース５３ｂに記録されている前記内視鏡カバー３のＩＤ情報とを照合し（ステップＳ２）、病院５１における使用済み内視鏡カバー３の数を算出する（ステップＳ３）。次に、メーカ５３のサーバ５３ａは、図７に示すフローチャートにしたがって納入／回収フラッグを立てるまでの処理を実行する。前記メーカ５３のサーバ５３ａは、算出した使用済み内視鏡カバー３の数が予め病院５１毎に設定されている設定数を超えたか否かを判断する（ステップＳ１１）。
【００４４】
使用済み内視鏡３の数が設定数を超えていない場合、前記メーカ５３のサーバ５３ａは、取得したＩＤ情報及び現在の使用済み内視鏡カバー３の数を前記データベース５３ｂに記録する（ステップＳ１２）。一方、使用済み内視鏡３の数が設定数を超えている場合、前記メーカ５３のサーバ５３ａは、前記代理店５４の端末５４ａ及び前記回収業者５５の端末５５ａへの納入／回収フラッグを立てる（ステップＳ１３）。
【００４５】
前記代理店５４の端末５４ａ及び前記回収業者５５の端末５５ａは、それぞれ担当者により起動した際、納入／回収フラッグに基づき動作するようになっている。先ず、前記メーカ５３のサーバ５３ａと前記代理店５４の端末５４ａとにおける納入動作について説明する。
【００４６】
先ず、代理店５４の端末５４ａが実行する動作を説明する。代理店５４の端末５４ａは、図８に示すフローチャートにしたがって病院５１へ納入する内視鏡カバー３のＩＤ情報を送信するまでの処理を実行する。  
図８に示すように代理店５４の端末５４ａは、担当者が起動してオンした際、広域ネットワーク５２を介してメーカ５３のサーバ５３ａにアクセスし、納入／回収フラッグの有無を確認する（ステップＳ２１）。
【００４７】
代理店５４の端末５４ａは、納入／回収フラッグが有るか否かを判断する（ステップＳ２２）。納入／回収フラッグがない場合、代理店５４の端末５４ａは、担当者の操作のみで終了する。一方、納入／回収フラッグが有る場合、代理店５４の端末５４ａは、納入依頼指示画面データの要求信号を送信して納入依頼指示画面データを要求する（ステップＳ２３）。
【００４８】
この納入依頼指示画面データの要求信号は、前記広域ネットワーク５２を介して前記メーカ５３のサーバ５３ａに送信される。代理店５４の端末５４ａは、メーカ５３のサーバ５３ａから納入依頼指示画面データを受信し、例えば図９に示すような納入依頼指示画面６２を表示する（ステップＳ２４）。
【００４９】
図９に示すように納入依頼指示画面６２には、「Ａ病院の内視鏡カバーの在庫が１０個です。納入する１０個の内視鏡カバーのＩＤを読み込ませて下さい。」との表示がなされ、病院５１としてＡ病院への内視鏡カバー３の納入指示とともに、納入する内視鏡カバー３のＩＤ情報の読み込みを促す。
【００５０】
代理店５４の担当者は、前記納入依頼指示画面６２にしたがって、納入する内視鏡カバー３の識別タグ４１を前記ＩＤ読込装置４２の無線通信範囲内に位置させ、前記識別タグ４１に記録されているＩＤ情報を前記ＩＤ読込装置４２に読み込ませると自動的に、このＩＤ情報の読み込み後、ＩＤ情報は、前記代理店５４の端末５４ａに入力される。
【００５１】
代理店５４の端末５４ａは、入力されたＩＤ情報を前記広域ネットワーク５２を介して前記メーカ５３のサーバ５３ａに送信する（ステップＳ２５）。この後、代理店５４の担当者は、ＩＤ情報を読み込ませた内視鏡カバー３を該当する病院５１へ納入する。
【００５２】
一方、上記代理店５４の端末５４ａの動作に対してメーカ５３のサーバ５３ａの動作は、図１０に示すフローチャートにしたがって代理店５４の端末５４ａから取得した内視鏡カバー３のＩＤ情報をデータベース５３ｂに記録するまでの動作を実行する。  
図１０に示すようにメーカ５３のサーバ５３ａは、代理店５４の端末５４ａからのアクセスを確認する（ステップＳ３１）。メーカ５３のサーバ５３ａは、代理店５４の端末５４ａからの納入依頼指示画面データの要求信号を受信し（ステップＳ３２）、この要求信号に応じて納入依頼指示画面データを前記広域ネットワーク５２を介して送信する（ステップＳ３３）。
【００５３】
メーカ５３のサーバ５３ａは、代理店５４の端末５４ａから納入する内視鏡カバー３のＩＤ情報を受信して取得する（ステップＳ３４）。メーカ５３のサーバ５３ａは、取得した内視鏡カバー３のＩＤ情報をデータベース５３ｂ、例えば図１１に示すようなＡ病院の内視鏡カバーデータベースに記録する（ステップＳ３５）。
【００５４】
図１１に示すＡ病院の内視鏡カバーデータベースには、代理店５４、病院５１、回収業者５５の記録欄があり、それぞれ内視鏡カバー３のＩＤ情報が記録されるようになっている。さらに具体的に説明すると、代理店５４の記録欄には、納入する内視鏡カバー３のＩＤ情報が記録される。また、病院５１の記録欄には、使用済み内視鏡カバー３のＩＤ情報が記録される。回収業者５５の記録欄には回収した使用済み内視鏡カバー３、滅菌処理した内視鏡カバー３、粉砕処理する内視鏡カバー３のＩＤ情報が記録される。なお、それぞれの記録欄の下段には、合計数が記録される。
【００５５】
このようにメーカ５３のサーバ５３ａは、各病院毎に内視鏡カバー３の処理状態に応じてデータベースに記録し、内視鏡カバー３の処理状態を把握できるようになっている。次に、前記メーカ５３のサーバ５３ａと前記回収業者５５の端末５５ａとにおける回収動作について説明する。
【００５６】
先ず、回収業者５５の端末５５ａが実行する動作を説明する。回収業者５５の端末５５ａは、図１２に示すフローチャートにしたがって病院５１から回収する内視鏡カバー３のＩＤ情報を送信するまでの処理を実行する。  
図１２に示すように回収業者５５の端末５５ａは、担当者が起動してオンした際、広域ネットワーク５２を介してメーカ５３のサーバ５３ａにアクセスし、納入／回収フラッグの有無を確認する（ステップＳ４１）。
【００５７】
回収業者５５の端末５５ａは、納入／回収フラッグが有るか否かを判断する（ステップＳ４２）。納入／回収フラッグがない場合、回収業者５５の端末５５ａは、担当者の操作のみで終了する。一方、納入／回収フラッグが有る場合、回収業者５５の端末５５ａは、回収依頼指示画面データの要求信号を送信して回収依頼指示画面データを要求する（ステップＳ４３）。
【００５８】
この回収依頼指示画面データの要求信号は、前記広域ネットワーク５２を介して前記メーカ５３のサーバ５３ａに送信される。回収業者５５の端末５５ａは、メーカ５３のサーバ５３ａから回収依頼指示画面データを受信し、例えば図１３に示すような回収依頼指示画面６３を表示する（ステップＳ４４）。
【００５９】
図１３に示すように回収依頼指示画面６３には、「Ａ病院の使用済み内視鏡カバーの在庫が１０個です。Ａ病院の使用済み内視鏡カバーを回収して下さい。」との表示がされ、病院５１としてＡ病院に対する使用済み内視鏡カバー３の回収指示がされる。回収業者５５の担当者は、端末５５ａを操作して一旦、回収依頼指示画面６３と閉じて該当するＡ病院へ使用済み内視鏡カバー３を回収しに行く。
【００６０】
回収業者５５の担当者は、Ａ病院から使用済み内視鏡カバー３を回収してきたらＩＤ読込装置４２に回収した内視鏡カバー３をかざすことで上記回収した内視鏡カバー３のＩＤを読み込ませる。すると、自動的に回収業者５５の端末５５ａは、回収済みであることを示す回収済み信号を送信するとともに、回収済みＩＤ情報取得画面データの要求信号を送信して回収済みＩＤ情報取得画面データを要求する（ステップＳ４５）。
【００６１】
これら回収済み信号及び回収済みＩＤ情報取得画面データの要求信号は、前記広域ネットワーク５２を介して前記メーカ５３のサーバ５３ａに送信される。回収業者５５の端末５５ａは、メーカ５３のサーバ５３ａから回収済みＩＤ情報取得画面データを受信し、例えば図１４に示すような回収済みＩＤ情報取得画面６４を表示する（ステップＳ４６）。この読み込まれたＩＤ情報は、前記回収業者５５の端末５５ａに入力される。回収業者５５の端末５５ａは、入力されたＩＤ情報を前記広域ネットワーク５２を介して前記メーカ５３のサーバ５３ａに送信する（ステップＳ４７）。
【００６２】
一方、上記回収業者５５の端末５５ａの動作に対してメーカ５３のサーバ５３ａの動作は、図１５に示すフローチャートにしたがって回収業者５５の端末５５ａから取得した内視鏡カバー３のＩＤ情報をデータベース５３ｂに記録するまでの動作を実行する。  
図１５に示すようにメーカ５３のサーバ５３ａは、代理店５４の端末５４ａからのアクセスを確認する（ステップＳ５１）。メーカ５３のサーバ５３ａは、回収業者５５の端末５５ａからの回収依頼指示画面データの要求信号を受信し（ステップＳ５２）、この要求信号に応じて回収依頼指示画面データを前記広域ネットワーク５２を介して送信する（ステップＳ５３）。
【００６３】
メーカ５３のサーバ５３ａは、回収業者５５の端末５５ａからの回収済み信号及び回収済みＩＤ情報取得画面データの要求信号を受信し（ステップＳ５４）、この要求信号に応じて回収済みＩＤ情報取得画面データを前記広域ネットワーク５２を介して送信する（ステップＳ５５）。メーカ５３のサーバ５３ａは、回収業者５５の端末５５ａから回収された使用済み内視鏡カバー３のＩＤ情報を受信して取得する（ステップＳ５６）。メーカ５３のサーバ５３ａは、回収された使用済み内視鏡カバー３のＩＤ情報をデータベース５３ｂに記録する（ステップＳ５７）。
【００６４】
ＩＤ情報を取得したメーカ５３のサーバ５３ａは、上述した図１１で説明したように例えばＡ病院の内視鏡カバーデータベースにおいて回収業者の回収済み欄にＩＤ情報を記録し、その下段に合計数を記録する。  
回収された内視鏡カバー３は、回収業者５５によって滅菌、粉砕処理される。この滅菌、粉砕処理において、回収業者５５の端末５５ａは、処理状態に応じて前記メーカ５３のサーバ５３ａから画面データを受信し、滅菌、粉砕処理される内視鏡カバー３のＩＤ情報をその処理状態に応じて前記メーカ５３のサーバ５３ａに送信する。
【００６５】
メーカ５３のサーバ５３ａは、取得した内視鏡カバー３のＩＤ情報をデータベース５３ｂに記録する。このメーカ５３のサーバ５３ａが行うＩＤ情報取得処理の動作は、図１６のフローチャートに示される。なお、図１６のフローチャートでは、画面データの要求信号及び画面データの送受信を省略し、メーカ５３のサーバ５３ａがＩＤ情報を取得することのみ記載している。
【００６６】
先ず、回収業者５５の担当者は、回収した内視鏡カバー３をオートクレーブ（高温高圧蒸気滅菌）等滅菌処理する。この滅菌処理後、回収業者５５の担当者は、端末の画面表示にしたがって滅菌した内視鏡カバー３のＩＤ情報を読み込ませる。  
前記メーカ５３のサーバ５３ａは、回収した内視鏡カバー３のＩＤ情報を取得後、滅菌処理ＩＤ情報取得画面データを生成し、この画面データを前記回収業者５５の端末５５ａに前記広域ネットワーク５２を介して送信する。
【００６７】
滅菌処理ＩＤ情報取得画面データを受信した前記回収業者５５の端末５５ａには、例えば図１７に示すような滅菌処理ＩＤ情報取得画面６５が表示される。図１７に示すように滅菌処理ＩＤ情報取得画面６５には、「滅菌した内視鏡カバーのＩＤを読み込ませて下さい。」との表示がなされ、滅菌した内視鏡カバー３のＩＤ情報の読み込みを促すようになっている。
【００６８】
回収業者５５の担当者は、前記滅菌処理ＩＤ情報取得画面６５にしたがって、滅菌した内視鏡カバー３の識別タグ４１を前記ＩＤ読込装置４２の無線通信範囲内に位置させ、前記識別タグ４１に記録されているＩＤ情報を前記ＩＤ読込装置４２に読み込ませる。このＩＤ情報の読み込み後、ＩＤ情報は、前記回収業者５５の端末５５ａに入力される。
【００６９】
回収業者５５の端末５５ａは、入力されたＩＤ情報を前記広域ネットワーク５２を介して前記メーカ５３のサーバ５３ａに送信する。これにより、前記メーカ５３のサーバ５３ａは、回収業者５５が滅菌した内視鏡カバー３のＩＤ情報を取得する（ステップＳ６１）。ＩＤ情報を取得したメーカ５３のサーバ５３ａは、上述した図１１で説明したように例えばＡ病院の内視鏡カバーデータベースにおいて回収業者の滅菌済み欄にＩＤ情報を記録し、その下段に合計数を記録する。
【００７０】
次に回収業者５５の担当者は、滅菌した内視鏡カバー３をシュレッダー等により粉砕処理する。上述したように本実施例の内視鏡カバー３は、挿入部カバー部３１、操作部カバー３２、口体部３３、先端カバー部材３１Ａの全ての構成部品が生分解性プラスティックにより構成されている。このため、本実施例の内視鏡カバー３は粉砕されると全てが生分解性プラスティックの細かな砕片となり、土中に埋めた際この土中の微生物により分解され易くなっている。
【００７１】
この粉砕処理前、回収業者５５の担当者は、端末の画面表示にしたがって粉砕する内視鏡カバー３のＩＤ情報を読み込ませる。前記メーカ５３のサーバ５３ａは、滅菌済み内視鏡カバー３のＩＤ情報を取得後、粉砕処理ＩＤ情報取得画面データを生成し、この画面データを前記回収業者５５の端末５５ａに前記広域ネットワーク５２を介して送信する。
【００７２】
粉砕処理ＩＤ情報取得画面データを受信した前記回収業者５５の端末５５ａには、例えば図１８に示すような粉砕処理ＩＤ情報取得画面６６が表示される。図１８に示すように粉砕処理ＩＤ情報取得画面６６には、「粉砕する内視鏡カバーのＩＤを読み込ませて下さい。」との表示がなされ、粉砕する内視鏡カバー３のＩＤ情報の読み込みを促すようになっている。
【００７３】
回収業者５５の担当者は、前記粉砕処理ＩＤ情報取得画面６６にしたがって、粉砕処理する使用済み内視鏡カバー３の識別タグ４１を前記ＩＤ読込装置４２の無線通信範囲内に位置させ、前記識別タグ４１に記録されているＩＤ情報を前記ＩＤ読込装置４２に読み込ませる。この読み込まれたＩＤ情報は、前記回収業者５５の端末５５ａに入力される。
【００７４】
回収業者５５の端末５５ａは、入力されたＩＤ情報を前記広域ネットワーク５２を介して前記メーカ５３のサーバ５３ａに送信する。これにより、前記メーカ５３のサーバ５３ａは、回収業者５５が粉砕する内視鏡カバー３のＩＤ情報を取得する（ステップＳ６２）。ＩＤ情報を取得したメーカ５３のサーバ５３ａは、上述した図１１で説明したように例えばＡ病院の内視鏡カバーデータベースにおいて回収業者の粉砕済み欄にＩＤ情報を記録し、その下段に合計数を記録する。
【００７５】
したがって、前記メーカ５３のサーバ５３ａは、前記回収業者５５の端末５５ａから滅菌及び粉砕処理時の内視鏡カバー３のＩＤ情報を取得し、この取得したＩＤ情報をデータベース５３ｂに記録している。これにより、メーカ５３は、内視鏡カバー３の処理状態を把握することができる。
【００７６】
回収業者５５の担当者は、前記識別タグ４１を取り外した後、内視鏡カバー３の粉砕処理を行い、この粉砕処理した内視鏡カバー３の砕片を処分場の土中に埋めて廃棄する。埋められた内視鏡カバー３の砕片は生分解性プラスティックであるので、土中の微生物により水と二酸化炭素に分解される。
【００７７】
この結果、本実施例の内視鏡カバー３は、構成全体を生分解性プラスティックにより構成しているので、環境への負荷を少なくできる。また、本実施例の内視鏡カバー３の流通システム５０は、広域ネットワーク５２を介してメーカ５３のサーバ５３ａにより代理店５４、病院５１及び回収業者５５間における内視鏡カバー３のＩＤ情報を管理できる。
【００７８】
また、本実施例の内視鏡カバー３の流通システム５０は、病院５１内における使用前後の保管スペースを削減する。さらに、本実施例の内視鏡カバー３の流通システム５０は、検査室５１ａで使用した使用済み内視鏡カバー３の数が自動的にメーカ５３のサーバ５３ａで管理できるので、病院５１内の在庫が一定基準を下回ると、自動的に必要な数の内視鏡カバー３を発注できる。また、本実施例の内視鏡カバー３の流通システム５０は、検査室５１ａで内視鏡カバー３を使用したことをメーカ５３のサーバ５３ａにより管理できるので、医療廃棄物として使用済み内視鏡カバー３が発生した時点で、自動的に回収業者５５に対して回収依頼を行うことができる。
【００７９】
したがって、本実施例によれば、流通性を容易にして医療施設での保管量を少なくするとともに、廃棄時の情報を製造者が把握できて使用後の医療廃棄物として環境への負荷を少なくすることができる。
【００８０】
なお、本実施例では識別タグ４１としてＲＦＩＤタグを用い、この識別タグ４１が前記ＩＤ読込装置４２の無線通信範囲内に位置したとき、内視鏡カバー３のＩＤ情報を自動的に読み込むように構成しているが、本発明はこれに限定されず、ＩＣ（ Integrated Circuits ）タグ等のＩＤタグを用いてＩＤ読込装置４２にＩＤ情報を読み込ませるように構成してもよい。また、前記識別タグ４１は生分解性プラスティックにより構成し、この識別タグ４１に記録されているＩＤ情報をキーボード等により入力するように構成してもよいし、また光学的に読み込ませるようにしてもよい。さらにまた、この識別タグ４１の代わりに大豆抽出物等を主原料とする生分解性インクを用いて、前記内視鏡カバー３の外表面に上記ＩＤ情報を印刷等して読み取り可能に構成してもよい。
【００８１】
また、本実施例では、代理店５４が病院５１へ内視鏡カバー３を納入するように構成しているが、本発明はこれに限定されず、病院５１へ内視鏡カバー３を納入するのは支店であってもよく、またメーカが直接工場から納入するようにしてもよい。
【実施例２】
【００８２】
図１９ないし図２７は本発明の実施例２に係わり、図１９は実施例２の使い捨て医療器具として内視鏡カバーを備えた内視鏡装置の全体構成図、図２０は図１９の内視鏡カバーの要部を示す説明図、図２１は図１９及び図２０の接合部の第１の構成を示す要部断面図、図２２は図１９及び図２０の接合部の第２の構成を示す要部断面図、図２３は図１９及び図２０の接合部の第３の構成を示す要部断面図、図２４は内視鏡カバーの流通システムを示す全体構成図、図２５は図２４の回収業者の端末に表示される分解処理ＩＤ情報取得画面の表示例を示す説明図、図２６は図２４の回収業者の端末に表示される粉砕処理ＩＤ情報取得画面の表示例を示す説明図、図２７は図２４の回収業者の端末に表示される再利用ＩＤ情報取得画面の表示例を示す説明図である。
【００８３】
上記実施例１は内視鏡カバー３の構成全体を生分解性プラスティックにより構成し、使用後内視鏡カバー３を粉砕して廃棄するように構成しているが、実施例２は内視鏡カバーの少なくとも挿入部カバー部を生分解性プラスティックにより構成し、それ以外を再利用するように構成する。それ以外の構成は上記実施例１と同様なので、説明を省略し、同じ構成には同じ符号を付して説明する。
【００８４】
すなわち、図１９及び図２０に示すように実施例２の内視鏡装置１Ｂは、挿入部カバー部７１及び操作部カバー７２を生分解性プラスティックにより構成した内視鏡カバー３Ｂを備えて構成されている。さらに具体的に説明すると、前記内視鏡カバー３Ｂは生分解性部として前記挿入部カバー部７１及び前記操作部カバー７２を生分解性プラスティックにより構成し、非生分解性部として口体部（支持部）７３及び先端カバー部材７１Ａを金属または通常の硬質プラスティックにより構成している。なお、前記口体部７３及び前記先端カバー部材７１Ａは金属により構成した場合、これら口体部７３及び先端カバー部材７１Ａの表面を耐電性樹脂によりコーティングして構成する。
【００８５】
前記口体部７３及び前記先端カバー部材７１Ａは後述するように再利用部品として再生可能となっており、それぞれ個別のＩＤ情報を記録した識別タグ４１ｂが取り付けられている。また、前記挿入部カバー部７１及び前記操作部カバー７２も同様に粉砕する部品としてそれぞれ個別のＩＤ情報を記録した識別タグ４１ｂが取り付けられている。
【００８６】
前記内視鏡カバー３Ｂは、前記口体部７３及び前記先端カバー部材７１Ａが分解可能に構成されている。すなわち、前記内視鏡カバー３Ｂは、前記先端カバー部材７１Ａと前記挿入部カバー部７１との間、前記挿入部カバー部７１と前記口体部７３との間、前記口体部７３と前記操作部カバー７２との間にそれぞれ分離可能な接合部７４を設けている。
【００８７】
これら接合部７４は、例えば図２１ないし図２３に示すように構成されている。なお、図２１ないし図２３に示す接合部７４は、前記先端カバー部材７１Ａと前記挿入部カバー部７１との間を例にしている。
【００８８】
図２１に示すように接合部７４Ａは、前記先端カバー部材７１Ａの基端側に周方向に接合溝部７５を構成している。この接合部７４Ａは、前記挿入部カバー部７１の先端側に対して外側からＯリング７６を前記接合溝部７５に埋め込むことにより、前記先端カバー部材７１Ａと前記挿入部カバー部７１とを接合するように構成されている。
【００８９】
これにより、接合部７４Ａは内視鏡カバー３Ｂを体腔内に挿入する際にはＯリング７６が接合溝部７５に入り込んでいるので取れにくくて前記先端カバー部材７１Ａと前記挿入部カバー部７１とが分離しにくく、使用後分解する際にはＯリング７６を接合溝部７５から取り出すことで前記先端カバー部材７１Ａと前記挿入部カバー部７１とが分離し易い。また、図２２に示す接合部７４Ｂは、前記挿入部カバー部７１の先端側を前記接合溝部７５に埋め込み熱溶着することにより、前記先端カバー部材７１Ａと前記挿入部カバー部７１とを接合するように構成されている。
【００９０】
これにより、接合部７４Ｂは内視鏡カバー３Ｂを体腔内に挿入する際には熱溶着により前記先端カバー部材７１Ａと前記挿入部カバー部７１とが接合溝部７５で一体化しているので分離しにくく、使用後分解する際には前記挿入部カバー部７１の一端を指で摘んで剥がすのみで前記先端カバー部材７１Ａと前記挿入部カバー部７１とが分離し易い。
【００９１】
また、図２３に示す接合部７４Ｃは、前記接合溝部７５に速乾性接着剤または瞬間性接着剤等の接着剤７７を塗布して前記挿入部カバー部７１の先端側を前記接合溝部７５に埋め込み接着することにより、前記先端カバー部材７１Ａと前記挿入部カバー部７１とを接合するように構成されている。
【００９２】
これにより、接合部７４Ｃは内視鏡カバー３Ｂを体腔内に挿入する際には接着剤７７により前記先端カバー部材７１Ａと前記挿入部カバー部７１とが接合溝部７５で一体化しているので分離しにくく、使用後分解する際には専用溶剤により接着剤を溶解することにより前記先端カバー部材７１Ａと前記挿入部カバー部７１とが分離し易い。  
なお、図示しないが前記挿入部カバー部７１と前記口体部７３との接合部７４、前記口体部７３と前記操作部カバー７２との接合部７４も同様に構成可能である。
【００９３】
これにより、内視鏡カバー３Ｂは、使用後前記先端カバー部材７１Ａと前記挿入部カバー部７１との接合部７４、前記挿入部カバー部７１と前記口体部７３との接合部７４、前記口体部７３と前記操作部カバー７２との接合部７４を分離することができ、前記先端カバー部材７１Ａ及び前記口体部７３を再利用部品とすることができる。
【００９４】
したがって、内視鏡カバー３Ｂの流通システム５０Ｂは、図１７に示すように使用済み内視鏡カバー３Ｂが回収業者により回収されて滅菌処理後分解され、前記挿入部カバー部７１及び前記操作部カバー７２が粉砕処理されて廃棄され、前記先端カバー部材７１Ａ及び前記口体部７３が再利用部品として前記メーカ５３に回収されるようになっている。
【００９５】
この回収業者による滅菌、分解、粉砕処理される内視鏡カバー３ＢのＩＤ情報は、その処理に応じて前記メーカ５３のサーバ５３ａに送信されデータベース５３ｂに記録される。上記実施例１で説明したのと同様に回収された使用済み内視鏡カバー３Ｂは滅菌処理され、この滅菌処理された内視鏡カバー３ＢのＩＤ情報（識別タグ４１に記録されている）は読み込まれて前記メーカ５３のサーバ５３ａに送信される。これにより、前記メーカ５３のサーバ５３ａは、回収業者５５が滅菌した内視鏡カバー３ＢのＩＤ情報を取得する。
【００９６】
次に、回収業者５５の担当者は、滅菌した内視鏡カバー３Ｂを分解処理する。上述したように本実施例の内視鏡カバー３Ｂは各接合部７４を分離でき、生分解性プラスティックに構成されている前記挿入部カバー部７１及び前記操作部カバー７２と、金属または硬質プラスティックにより構成されている前記先端カバー部材７１Ａ及び前記口体部７３とに分解できる。このため、本実施例の内視鏡カバー３Ｂは前記挿入部カバー部７１及び前記操作部カバー７２を粉砕できるともに、前記先端カバー部材７１Ａ及び前記口体部７３を再利用部品とすることができる。
【００９７】
この分解処理前、回収業者５５の担当者は、端末５５ａの画面表示にしたがって分解する内視鏡カバー３ＢのＩＤ情報を読み込ませる。前記メーカ５３のサーバ５３ａは、滅菌済み内視鏡カバー３ＢのＩＤ情報を取得後、分解処理ＩＤ情報取得画面データを生成し、この画面データを前記回収業者５５の端末５５ａに前記広域ネットワーク５２を介して送信する。
【００９８】
分解処理ＩＤ情報取得画面データを受信した前記回収業者５５の端末５５ａには、例えば図２５に示すような分解処理ＩＤ情報取得画面８１が表示される。  
図２５に示すように分解処理ＩＤ情報取得画面８１には、「分解する内視鏡カバーのＩＤを読み込ませて下さい。」との表示がなされ、分解する内視鏡カバー３ＢのＩＤ情報の読み込みを促すようになっている。
【００９９】
回収業者５５の担当者は、前記分解処理ＩＤ情報取得画面８１にしたがって、分解する内視鏡カバー３の識別タグ４１を前記ＩＤ読込装置４２の無線通信範囲内に位置させ、前記識別タグ４１に記録されているＩＤ情報を前記ＩＤ読込装置４２に読み込ませる。このＩＤ情報の読み込み後、自動的にこの読み込まれたＩＤ情報は、前記回収業者５５の端末５５ａに入力される。
【０１００】
回収業者５５の端末５５ａは、入力されたＩＤ情報を前記広域ネットワーク５２を介して前記メーカ５３のサーバ５３ａに送信する。これにより、前記メーカ５３のサーバ５３ａは、回収業者５５が分解する内視鏡カバー３ＢのＩＤ情報を取得する。
【０１０１】
ＩＤ情報を取得したメーカ５３のサーバ５３ａは、上記実施例１で説明したのと同様に例えばＡ病院の内視鏡カバーデータベースにおいて回収業者の分解済み欄（不図示）にＩＤ情報を記録し、その下段に合計数を記録する。
【０１０２】
次に、回収業者５５の担当者は、分解した前記挿入部カバー部７１及び前記操作部カバー７２を粉砕処理する。この粉砕処理前、回収業者５５の担当者は、端末の画面表示にしたがって粉砕部品として前記挿入部カバー部７１及び前記操作部カバー７２の個別のＩＤ情報（識別タグ４１ｂに記録されている）を読み込ませる。前記メーカ５３のサーバ５３ａは、分解する内視鏡カバー３ＢのＩＤ情報を取得後、粉砕処理ＩＤ情報取得画面データを生成し、この画面データを前記回収業者５５の端末５５ａに前記広域ネットワーク５２を介して送信する。
【０１０３】
粉砕処理ＩＤ情報取得画面データを受信した前記回収業者５５の端末５５ａには、例えば図２６に示すような粉砕処理ＩＤ情報取得画面８２が表示される。図２６に示すように粉砕処理ＩＤ情報取得画面８２には、「内視鏡カバー粉砕部品のＩＤを読み込ませて下さい。」との表示がなされ、内視鏡カバー粉砕部品のＩＤ情報の読み込みを促すようになっている。
【０１０４】
回収業者５５の担当者は、前記粉砕処理ＩＤ情報取得画面８２にしたがって、内視鏡カバー粉砕部品として前記挿入部カバー部７１及び前記操作部カバー７２の識別タグ４１ｂを前記ＩＤ読込装置４２の無線通信範囲内に位置させ、前記識別タグ４１ｂに記録されているＩＤ情報を前記ＩＤ読込装置４２に読み込ませる。このＩＤ情報の読み込み後、自動的に読み込まれたＩＤ情報は、前記回収業者５５の端末５５ａに入力される。
【０１０５】
回収業者５５の端末５５ａは、入力されたＩＤ情報を前記広域ネットワーク５２を介して前記メーカ５３のサーバ５３ａに送信する。これにより、前記メーカ５３のサーバ５３ａは、回収業者５５が粉砕する内視鏡カバー粉砕部品のＩＤ情報を取得する。
【０１０６】
ＩＤ情報を取得したメーカ５３のサーバ５３ａは、上記実施例１で説明したのと同様に例えばＡ病院の内視鏡カバーデータベースにおいて回収業者の粉砕済み欄（不図示）にＩＤ情報を記録し、その下段に合計数を記録する。
【０１０７】
一方、回収業者５５の担当者は、分解した前記口体部７３及び前記先端カバー部材７１Ａを再利用部品とする。回収業者５５の担当者は、端末の画面表示にしたがって再利用部品として前記口体部７３及び前記先端カバー部材７１Ａの個別のＩＤ情報（識別タグ４１ｂに記録されている）を読み込ませる。前記メーカ５３のサーバ５３ａは、粉砕部品のＩＤ情報を取得後、再利用ＩＤ情報取得画面データを生成し、この画面データを前記回収業者５５の端末５５ａに前記広域ネットワーク５２を介して送信する。
【０１０８】
再利用ＩＤ情報取得画面データを受信した前記回収業者５５の端末５５ａには、例えば図２７に示すような再利用ＩＤ情報取得画面８３が表示される。図２７に示すように再利用ＩＤ情報取得画面８３には、「内視鏡カバー再利用部品のＩＤを読み込ませて下さい。」との表示がなされ、内視鏡カバー再利用部品のＩＤ情報の読み込みを促すようになっている。
【０１０９】
回収業者５５の担当者は、前記再利用ＩＤ情報取得画面８３にしたがって、内視鏡カバー再利用部品として前記口体部７３及び前記先端カバー部材７１Ａの識別タグ４１ｂを前記ＩＤ読込装置４２の無線通信範囲内に位置させ、前記識別タグ４１ｂに記録されているＩＤ情報を前記ＩＤ読込装置４２に読み込ませる。このＩＤ情報の読み込み後、ＩＤ情報は、前記回収業者５５の端末５５ａに入力される。
【０１１０】
回収業者５５の端末５５ａは、入力されたＩＤ情報を前記広域ネットワーク５２を介して前記メーカ５３のサーバ５３ａに送信する。これにより、前記メーカ５３のサーバ５３ａは、内視鏡カバー再利用部品のＩＤ情報を取得する。
【０１１１】
ＩＤ情報を取得したメーカ５３のサーバ５３ａは、上記実施例１で説明したのと同様に例えばＡ病院の内視鏡カバーデータベースにおいて回収業者の再利用部品欄（不図示）にＩＤ情報を記録し、その下段に合計数を記録する。
【０１１２】
したがって、前記メーカ５３のサーバ５３ａは、前記回収業者５５の端末５５ａから内視鏡カバー３Ｂの滅菌処理時、粉砕部品及び再利用部品のＩＤ情報を取得することができる。
【０１１３】
次に、回収業者５５の担当者は、前記識別タグ４１，４１ｂを取り外した後、内視鏡カバー粉砕部品として前記挿入部カバー部７１及び前記操作部カバー７２の粉砕処理を行い、この粉砕処理した粉砕部品の砕片を処分場の土中に埋めて廃棄する。埋められた粉砕部品の砕片は生分解性プラスティックであるので、土中の微生物により水と二酸化炭素に分解される。さらに、回収業者５５の担当者は、内視鏡カバー再利用部品として前記口体部７３及び前記先端カバー部材７１Ａを前記メーカ５３に搬入する。前記メーカ５３は、搬入された再利用部品と、新たな挿入部カバー部７１及び操作部カバー７２を用いて内視鏡カバー３Ｂを再生する。
【０１１４】
この結果、実施例２の内視鏡カバー３Ｂは、前記挿入部カバー部７１及び前記操作部カバー７２を生分解性プラスティックにより構成し、金属または硬質プラスティックにより構成した前記口体部７３及び前記先端カバー部材７１Ａを再利用できるので、環境への負荷を少なくできる。したがって、本実施例によれば、上記実施例１と同様な効果を得ることに加え、再利用部品を活用することによりコスト削減が可能である。
【０１１５】
なお、実施例２の内視鏡カバー３Ｂは生分解性部と非生分解性部とに分解可能に構成し、前記非生分解性部は分離して再利用部品とするように構成しているが、本発明はこれに限定されず、生分解性部と非生分解性部とを一体的に構成した内視鏡カバーに適用してもよい。この場合、非生分解性部は磁性体金属またはこの磁性体金属が塗布されて構成されており、内視鏡カバーは一体的に粉砕された後、または粉砕されず土中に埋められて生分解性部が微生物により分解された後、磁石等により金属部分を回収可能となっている。
【実施例３】
【０１１６】
図２８は本発明の実施例３に係わる使い捨て医療器具として使い捨て内視鏡を示す概略説明図である。  
上記実施例１，２は使い捨て医療器具として内視鏡カバーを本発明に適用して構成しているが、実施例３は使い捨て内視鏡に本発明を適用して構成する。それ以外の構成は上記実施例１，２と同様なので、説明を省略し、同じ構成には同じ符号を付して説明する。
【０１１７】
すなわち、図２８に示すように実施例３の内視鏡１００は上記実施例１，２で説明した内視鏡カバー３と同様に使い捨て可能に構成されている。
【０１１８】
この使い捨ての内視鏡１００は細長の挿入部１０１を有し、この挿入部１０１の手元側の基端部に把持部を兼ねた操作部１０２が連設されて構成されている。前記内視鏡１００は、前記操作部１０２側部からユニバーサルコード１０３が延出している。このユニバーサルコード１０３の端部には、図示しないビデオプロセッサに接続されるコネクタ部１０４が設けられている。
【０１１９】
前記挿入部１０１は基端側より軟性の可撓管１１１と、湾曲自在な湾曲部１１２と、観察光学系等を備えた先端構成部１１３とが連設されて構成されている。前記操作部１０２には、前記湾曲部１１２を湾曲操作する湾曲操作ノブ１２１が設けられている。前記操作部１０２には、前記湾曲操作ノブ１２１の湾曲操作に応じて前記湾曲部１１２を湾曲動作させるための図示しないスプロケット等が内蔵されている。
【０１２０】
また、前記操作部１０２には、送気送水スイッチ１２２ａを有する送気送水シリンダユニット１２２及び、吸引スイッチ１２３ａを有する吸引シリンダユニット１２３が設けられている。また、前記操作部１０２の先端側には、レリーズやフリーズ等、ビデオプロセッサを遠隔操作するためのリモートスイッチ１２４ａを有する電気スイッチ部１２４が設けられている。
【０１２１】
また、前記操作部１０２の基端側には生検鉗子等の処置具を挿入する処置具挿入口１２５が設けられており、通常図示しない鉗子栓により閉じられている。この処置具挿入口１２５は、その内部において図示しない処置具挿通用チャンネルと連通している。処置具挿入口１２５は、鉗子等の図示しない処置具を挿入することにより、内部の処置具挿通用チャンネルを介して前記先端構成部１１３の図示しない開口から処置具の先端側を突出させて生検などを行うことができる。
【０１２２】
前記送気送水シリンダユニット１２２には、図示しない送気送水チャンネルに接続されている。この送気送水チャンネルは、一端が前記挿入部１０１を挿通して前記先端構成部１１３に設けられている図示しない送気送水ノズルに連通し、他端が前記ユニバーサルコード１０３を挿通して前記コネクタ部１０４に設けられている送気送水口金１３１に連通している。この送気送水口金１３１には図示しない送気送水チューブが着脱自在に接続されて流体制御装置（不図示）に接続されるようになっている。
【０１２３】
一方、前記吸引シリンダユニット１２３には、図示しない吸引チャンネルに接続されている。この吸引チャンネルは、一端が前記処置具挿通用チャンネルに連通し、他端が前記ユニバーサルコード１０３を挿通して前記コネクタ部１０４に設けられている吸引口金１３２に連通している。この吸引口金１３２には図示しない吸引チューブが着脱自在に接続されて図示しない吸引ボトルを介して前記流体制御装置に接続されるようになっている。
【０１２４】
前記先端構成部１１３には、前記送気送水ノズル、前記処置具挿通用チャンネルの開口が形成されている。また、前記先端構成部１１３には、患部などの被写体を照明する照明光学系１４１及びこの照明光学系１４１に照明光を供給するＬＥＤ等の照明部１４２が配置されている。さらにこの先端構成部１１３には、照明された被写体の反射光を被写体像として取り込む対物光学系１４３及び取り込まれた被写体像を撮像するＣＣＤ、ＣＭＯＳ等の撮像部１４４が配置されている。
【０１２５】
これら前記照明部１４２及び撮像部１４４からの電気信号線１４２ａ，１４４ａは、挿入部１０１、操作部１０２を挿通して前記ユニバーサルコード１０３のコネクタ部１０４に設けた電気コネクタ１４５に接続されている。
【０１２６】
前記湾曲部１１２は、複数の湾曲駒１４６を回動自在に連設され、これら湾曲駒１４６の外周面側に図示しない網管及び湾曲被覆ゴムが被覆されて構成されている。前記湾曲部１１２には先端側湾曲駒１４６ａにこの湾曲部１１２を湾曲動作させるための湾曲操作ワイヤ１４７が固設されており、この湾曲操作ワイヤ１４７の後端側は前記挿入部１０１、操作部１０２を挿通して前記スプロケットに連設されている。
【０１２７】
本実施例では、上述したように前記内視鏡１００が一回使用した後廃棄する使い捨て内視鏡であり、この使い捨て内視鏡１００の構成部品の一部が生分解性材質として生分解性プラスティックにより構成されている。
【０１２８】
さらに具体的に説明すると前記内視鏡１００は、前記挿入部１０１の外形部１０１ａ、前記操作部１０２の外形部１０２ａ、前記ユニバーサルコード１０３の外形部１０３ａ、及び前記コネクタ部１０４の外形部１０４ａを生分解性プラスティックにより構成されている。また、前記内視鏡１００は、前記処置具挿通用チャンネル等の管路を生分解性プラスティックにより構成されている。
【０１２９】
なお、前記内視鏡１００は、前記先端構成部１１３、前記湾曲部１１２、前記コネクタ部１０４の電気コネクタ１４５、前記電気スイッチ部１２４、前記送気送水シリンダユニット１２２及び前記吸引シリンダユニット１２３、前記湾曲操作ワイヤ１４７、前記電気信号線１４２ａ，１４４ａ等の構成部品が金属素材により構成されている。
【０１３０】
本実施例では、これら金属素材が磁性体金属またはこの磁性体金属が塗布されて構成されている。これにより、上記構成部品は、後述するように回収業者５５により粉砕処理された後、磁石等により金属部分を回収可能となっている。
【０１３１】
前記内視鏡１００には、上記実施例１，２の内視鏡カバー３と同様に製造番号等の内視鏡個別のＩＤ情報が読み込み可能な識別タグ４１Ａが取り付けられている。この識別タグ４１Ａは、上記実施例１，２と同様にＲＦＩＤタグにより構成されている。  
また、この識別タグ４１Ａは、上記実施例１，２の内視鏡カバー３と同様にＩＤ読込装置４２により、使用前に読み取られて使用済み内視鏡１００として院内サーバ４５にＩＤ情報が記録されるようになっている。
【０１３２】
本実施例では、上記実施例１，２の内視鏡カバー３の流通システムと同様な内視鏡１００の流通システムを有しており、前記広域ネットワーク５２を介して前記内視鏡１００のＩＤ情報を通信することにより、メーカ５３から代理店５４への内視鏡１００の搬入、代理店５４から病院５１への内視鏡１００の納入、病院５１から回収業者５５への内視鏡１００の回収が前記メーカ５３のサーバ５３ａにより一元管理されるようになっている。前記内視鏡１００の流通システムは、回収業者５５により使用済み内視鏡１００が回収されて滅菌、粉砕処理されるまでは上記実施例１，２の内視鏡カバー３の流通システムと同様であるので説明を省略する。
【０１３３】
使用済み内視鏡１００は、滅菌後回収業者５５によりシュレッダーにより粉砕処理されて金属部分を磁石等により回収されるようになっている。その金属部分が回収された残りである生分解性プラスティック部分は、処分場の土中に埋められて廃棄され、土中の微生物により水と二酸化炭素に分解されるようになっている。なお、内視鏡１００は、粉砕処理せずに処分場に埋めて土中の微生物により生分解性プラスティックを分解された後、土中から磁石等により金属部分を回収するようにしてもよい。
【０１３４】
この結果、内視鏡１００は、上記実施例１，２の内視鏡カバー３と同様な効果を得ることができる。また、内視鏡１００は、湾曲部１１２や前記電気スイッチ部１２４、前記送気送水シリンダユニット１２２及び前記吸引シリンダユニット１２３等の金属素材により構成されている構成部品をユニット化し、生分解性プラスティックにより構成されている前記挿入部１０１の外形部１０１ａ、操作部１０２の外形部１０２ａ、コネクタ部１０４の外形部１０４ａに例えばスナップフィット等により着脱自在に固定して構成してもよい。この場合、回収業者５５は、内視鏡１００の滅菌処理後、上記金属ユニットを取り外し、これら金属ユニットを取り外した生分解性プラスティックのみの構成部品の粉砕処理を行うようになっている。
【０１３５】
なお、上記取り外される金属ユニットは再利用部品として再生可能とし、それぞれ個別のＩＤ情報を記録した識別タグ４１ｂにより上記実施例２と同様にメーカ５３のサーバ５３ａに一元管理されて回収業者５５からメーカ５３に搬送されるようになっている。  
なお、使い捨て医療器具として内視鏡カバーまたは使い捨て内視鏡に本発明を適用して構成しているが、本発明はこれに限定されず、内視鏡や電気メス等を体腔内に導入するためのトラカール、鉗子や電気メス等の処置具、カテーテル、オーバーチューブ等の使い捨て医療器具に本発明を適用して構成しても構わない。  
なお、上述した各実施例等を部分的に組み合わせる等して構成される実施例等も本発明に属する。
【０１３６】
［付記］
以上詳述した本発明の実施形態によれば、以下のごとき構成を得ることができる。  
（付記項１）  
医療行為に用いられる使い捨て医療器具であって、
前記使い捨て医療器具を構成している構成部品の少なくとも一部を生分解性材質により構成したことを特徴とする使い捨て医療器具。  
（付記項２）  
付記項１に記載の使い捨て医療器具であって、
前記使い捨て医療器具を構成している前記構成部品の全てを前記生分解性材質により構成したことを特徴とする使い捨て医療器具。  
（付記項３）  
付記項１に記載の使い捨て医療器具であって、
前記使い捨て医療器具を構成している前記構成部品を前記生分解性材質により構成した生分解性部と、非生分解性材質により構成した非生分解性部とに分解可能に構成したことを特徴とする使い捨て医療器具。
【０１３７】
（付記項４）  
付記項１ないし３のいずれか１つに記載の使い捨て医療器具であって、
前記使い捨て医療器具は、内視鏡を被覆した状態で体腔内に挿入する内視鏡カバーであることを特徴とする使い捨て医療器具。  
（付記項５）  
付記項１ないし３のいずれか１つに記載の使い捨て医療器具であって、
前記使い捨て医療器具は、使い捨て内視鏡であることを特徴とする使い捨て医療器具。
【０１３８】
（付記項６）  
付記項１ないし３のいずれか１つに記載の使い捨て医療器具の流通システムであって、
前記使い捨て医療器具は同定標識情報を有し、
通信回線を介して使用済みの前記使い捨て医療器具の同定標識情報を取得する使用済み同定標識情報取得部と、
前記使用済み同定標識情報取得部により取得した前記使用済み同定標識情報に基づき、前記使用済み医療器具の数を算出する算出部と、
前記算出部の算出結果に基づき、新たな使い捨て医療器具の納入指示情報を前記通信回線を介して送信する納入指示部と、
前記納入指示部からの納入指示情報に基づいて納入される全ての前記使い捨て医療器具の同定標識情報を前記通信回線を介して取得する納入済み同定標識情報取得部と、
前記算出部の算出結果に基づき、前記使用済み医療器具の回収指示情報を前記通信回線を介して送信する回収指示部と、
前記回収指示部からの回収指示情報に基づいて回収済みの前記使い捨て医療器具の同定標識情報を前記通信回線を介して取得する回収済み同定標識情報取得部と、
を具備することを特徴とする使い捨て医療器具の流通システム。
【０１３９】
（付記項７）  
付記項６に記載の使い捨て医療器具の流通システムであって、
前記算出部は、前記使用済み同定標識情報取得部により取得した前記同定標識情報と、予めデータベースに記録されている同定標識情報とを照合して前記使用済み医療器具の数を算出することを特徴とする使い捨て医療器具の流通システム。  
（付記項８）  
付記項６に記載の使い捨て医療器具の流通システムであって、
前記回収済み同定標識情報取得部は、破砕済みの前記使い捨て医療器具の同定標識情報を前記通信回線を介して取得することを特徴とする使い捨て医療器具の流通システム。  
（付記項９）  
付記項６に記載の使い捨て医療器具の流通システムであって、
前記使い捨て医療器具の非生分解性部は各々同定標識情報を有し、
前記回収済み同定標識情報取得部は、前記非生分解性部の同定標識情報を前記通信回線を介して取得することを特徴とする使い捨て医療器具の流通システム。
【０１４０】
（付記項１０）  
内視鏡を被覆した状態で体腔内に挿入する内視鏡カバーであって、
前記内視鏡カバーを構成している構成部品の少なくとも一部を生分解性材質により構成したことを特徴とする内視鏡カバー。  
（付記項１１）  
付記項１０に記載の内視鏡カバーであって、
前記内視鏡の挿入部を被覆する挿入部カバー部を前記生分解性材質により構成したことを特徴とする内視鏡カバー。
【０１４１】
（付記項１２）  
付記項１０に記載の内視鏡カバーであって、
前記内視鏡の操作部の一部に固定する口体部を有し、この口体部を前記生分解性材質により構成したことを特徴とする内視鏡カバー。  
（付記項１３）  
付記項１０に記載の内視鏡カバーであって、
前記内視鏡の操作部及びユニバーサルコードを覆う操作部カバーを有し、この操作部カバーを前記生分解性材質により構成したことを特徴とする内視鏡カバー。
【０１４２】
（付記項１４）  
付記項１１に記載の内視鏡カバーであって、  
前記挿入部カバー部の先端部に設けた先端カバー部材を前記生分解性材質により構成したことを特徴とする内視鏡カバー。  
（付記項１５）  
付記項１１に記載の内視鏡カバーであって、
前記挿入部カバー部の先端部に設けた先端カバー部材を前記挿入部カバー部から分離可能に構成したことを特徴とする内視鏡カバー。
【０１４３】
（付記項１６）  
付記項１１に記載の内視鏡カバーであって、
前記内視鏡の操作部の一部に固定する口体部を有し、この口体部を前記挿入部カバー部から分離可能に構成したことを特徴とする内視鏡カバー。  
（付記項１７）  
付記項１１に記載の内視鏡カバーであって、
前記内視鏡の操作部の一部に固定する口体部と、前記内視鏡の操作部及びユニバーサルコードを覆う操作部カバーとを有し、この操作部カバーを前記口体部から分離可能に構成したことを特徴とする内視鏡カバー。
【０１４４】
（付記項１８）  
体腔内に挿入する挿入部及び、この挿入部の基端部に連設する操作部を有する使い捨て内視鏡であって、
構成部品の少なくとも一部を生分解性材質により構成したことを特徴とする使い捨て内視鏡。  
（付記項１９）  
付記項１８に記載の使い捨て内視鏡であって、
前記構成部品を構成しているプラスティック素材を生分解性材質により構成したことを特徴とする使い捨て内視鏡。
【０１４５】
（付記項２０）  
付記項１８に記載の使い捨て内視鏡であって、
前記構成部品を構成している金属部品は、磁性体金属または磁性体金属を塗布した素材により構成したことを特徴とする使い捨て内視鏡。  
（付記項２１）  
付記項２０に記載の使い捨て内視鏡であって、
前記金属部品を送気送水シリンダユニット、吸引シリンダユニット、電気スイッチ部、先端構成部、湾曲部、コネクタ電極に用いたことを特徴とする使い捨て内視鏡。
【産業上の利用可能性】
【０１４６】
本発明の使い捨て医療器具及びこの使い捨て医療器具の流通システムは、流通性を容易にして医療施設での保管量を少なくするとともに、廃棄時の情報を製造者が把握できて使用後の医療廃棄物として環境への負荷を少なくすることができるので、特に内視鏡カバー、使い捨て内視鏡に好適に利用することができる。
【図面の簡単な説明】
【０１４７】
【図１】実施例１の使い捨て医療器具として内視鏡カバーを備えた内視鏡装置の全体構成図である。
【図２】図１の内視鏡カバーの要部を示す説明図である。
【図３】内視鏡カバーの流通システムを示す全体構成図である。
【図４】図３のメーカのサーバのデータべース構造例を示す説明図である。
【図５】図３の病院の検査室に配置されるモニタに表示されるＩＤ情報読込画面の表示例を示す説明図である。
【図６】図３のメーカのサーバが使用済み内視鏡カバーの数を算出するまでの動作を示すフローチャートである。
【図７】図３のメーカのサーバが納入／回収フラッグを立てるまでの動作を示すフローチャートである。
【図８】図３の代理店の端末の動作を示すフローチャートである。
【図９】図３の代理店の端末に表示される納入依頼指示画面の表示例を示す説明図である。
【図１０】図８の代理店の端末の動作に対するメーカのサーバの動作を示すフローチャートである。
【図１１】Ａ病院の内視鏡カバーデータベースの一例を示す説明図である。
【図１２】図３の回収業者の端末の動作を示すフローチャートである。
【図１３】図３の回収業者の端末に表示される回収依頼指示画面の表示例を示す説明図である。
【図１４】図３の回収業者の端末に表示される回収済みＩＤ情報取得画面の表示例を示す説明図である。
【図１５】図１２の回収業者の端末の動作に対するメーカのサーバの動作を示すフローチャートである。
【図１６】回収業者の端末から内視鏡カバーの滅菌粉砕処理時のＩＤ情報を取得する際のメーカのサーバが行う動作を示すフローチャートである。
【図１７】図３の回収業者の端末に表示される滅菌処理ＩＤ情報取得画面の表示例を示す説明図である。
【図１８】図３の回収業者の端末に表示される粉砕処理ＩＤ情報取得画面の表示例を示す説明図である。
【図１９】実施例２の使い捨て医療器具として内視鏡カバーを備えた内視鏡装置の全体構成図である。
【図２０】図１９の内視鏡カバーの要部を示す説明図である。
【図２１】図１９及び図２０の接合部の第１の構成を示す要部断面図である。
【図２２】図１９及び図２０の接合部の第２の構成を示す要部断面図である。
【図２３】図１９及び図２０の接合部の第３の構成を示す要部断面図である。
【図２４】内視鏡カバーの流通システムを示す全体構成図である。
【図２５】図２４の回収業者の端末に表示される分解処理ＩＤ情報取得画面の表示例を示す説明図である。
【図２６】図２４の回収業者の端末に表示される粉砕処理ＩＤ情報取得画面の表示例を示す説明図である。
【図２７】図２４の回収業者の端末に表示される再利用ＩＤ情報取得画面の表示例を示す説明図である。
【図２８】実施例３に係わる使い捨て医療器具として使い捨て内視鏡を示す概略説明図である。
【符号の説明】
【０１４８】
１  内視鏡装置
２  内視鏡
２ａ  挿入部
２ｂ  操作部
３  内視鏡カバー
５  光源装置
３１  挿入部カバー部
３１Ａ  先端カバー部材
３２  操作部カバー
３３  口体部
３４  内視鏡挿入チャンネル
４１  識別タグ
４２  ＩＤ読込装置
４４  院内ネットワーク
４５  院内サーバ
５０  流通システム
５１  病院
５２  広域ネットワーク
５３  メーカ
５３ａ  サーバ
５３ｂ  データベース
５４  代理店
５５  回収業者
【図１】
2006296675.tif 000003
【図２】
2006296675.tif 000004
【図３】
2006296675.tif 000005
【図４】
2006296675.tif 000006
【図５】
2006296675.tif 000007
【図６】
2006296675.tif 000008
【図７】
2006296675.tif 000009
【図８】
2006296675.tif 000010
【図９】
2006296675.tif 000011
【図１０】
2006296675.tif 000012
【図１１】
2006296675.tif 000013
【図１２】
2006296675.tif 000014
【図１３】
2006296675.tif 000015
【図１４】
2006296675.tif 000016
【図１５】
2006296675.tif 000017
【図１６】
2006296675.tif 000018
【図１７】
2006296675.tif 000019
【図１８】
2006296675.tif 000020
【図１９】
2006296675.tif 000021
【図２０】
2006296675.tif 000022
【図２１】
2006296675.tif 000023
【図２２】
2006296675.tif 000024
【図２３】
2006296675.tif 000025
【図２４】
2006296675.tif 000026
【図２５】
2006296675.tif 000027
【図２６】
2006296675.tif 000028
【図２７】
2006296675.tif 000029
【図２８】
2006296675.tif 000030